(57)【特許請求の範囲】
【請求項１】
半導体素子を形成した半導体チップと、前記半導体チップの上面を覆うカバー板とを接着剤を介して接合した半導体装置において、
前記半導体チップとカバー板の少なくともいずれか一方の外周端面に、半導体チップとカバー板の接着面側に向かって、半導体チップまたはカバー板の中央方向にへこんだ接着剤のはみ出し防止用凹部を設け、
前記半導体チップの外周部にリード端子が設けられ、
前記接着剤が前記はみ出し防止用凹部に充填され、前記接着剤が前記リード端子の基端部を包囲する状態で半導体チップとカバー板との間に介在している、
ことを特徴とする半導体装置。
【請求項２】
前記半導体チップには固体撮像素子が形成され、前記カバー板は前記半導体チップにおける固体撮像素子の受光面を覆う透過性のカバー板であることを特徴とする請求項１記載の半導体装置。
【請求項３】
前記はみ出し防止用凹部は、前記半導体チップまたはカバー板の外周端面に全周にわたって環状に形成されていることを特徴とする請求項１記載の半導体装置。
【請求項４】
前記はみ出し防止用凹部は、前記半導体チップまたはカバー板の外周端面に部分的に形成されていることを特徴とする請求項１記載の半導体装置。
【請求項５】
前記はみ出し防止用凹部は、前記半導体チップまたはカバー板の外周端面に間欠的に複数形成されていることを特徴とする請求項１記載の半導体装置。
【請求項６】
前記はみ出し防止用凹部は、前記半導体チップまたはカバー板の外周端面をテーパ面状に形成したものであることを特徴とする請求項１記載の半導体装置。
【請求項７】
前記はみ出し防止用凹部は、前記半導体チップまたはカバー板の外周端面を階段状に切り欠いた状態に形成したものであることを特徴とする請求項１記載の半導体装置。
【請求項８】
半導体素子を形成した半導体チップと、前記半導体チップの上面を覆うカバー板とを接着剤を介して接合した半導体装置の製造方法において、
前記半導体チップとカバー板の少なくともいずれか一方の外周端面に、半導体チップとカバー板の接着面側に向かって、半導体チップまたはカバー板の中央方向にへこんだ接着剤のはみ出し防止用凹部を設ける加工工程と、
前記半導体チップにリード端子を接続する工程と、
前記接着剤による半導体チップとカバー板の接着時に、余剰な接着剤を前記はみ出し防止用凹部に貯留させ、前記余剰な接着剤を前記リード端子の基端部を包囲する状態で半導体チップとカバー板との間に介在させる接着工程と、
を有することを特徴とする半導体装置の製造方法。
【請求項９】
前記半導体チップには固体撮像素子が形成され、前記カバー板は前記半導体チップにおける固体撮像素子の受光面を覆う透過性のカバー板であることを特徴とする請求項８記載の半導体装置の製造方法。
【請求項１０】
前記加工工程は、前記半導体チップまたはカバー板を複数形成したウェーハをダイジング装置でハーフカットした後にフルカットを行うことにより半導体チップまたはカバー板をウェーハから分離する工程において、前記ダイジング装置のハーフカットで形成される溝を用いて前記はみ出し防止用凹部を形成することを特徴とする請求項８記載の半導体装置の製造方法。
【請求項１１】
前記接着工程は、前記半導体チップまたはカバー板の接着面に半硬化状または液状の接着剤を塗布し、その後、半導体チップとカバー板とを重ね合わせた状態で前記半硬化状または液状の接着剤を硬化処理することにより、前記半導体チップとカバー板とを接着することを特徴とする請求項８記載の半導体装置の製造方法。
【発明の詳細な説明】
【０００１】
【発明の属する技術分野】
本発明は、撮像素子を搭載した半導体チップと、この半導体チップにおける撮像素子の受光面を覆うカバー板とを接着剤を介して接合した半導体装置およびその製造方法に関する。
【０００２】
【従来の技術】
従来より、この種の半導体装置として、例えば図１０に示すように、ＴＡＢパッケージ構造を用いた固体撮像装置が知られている。
この固体撮像装置は、ＣＣＤ型イメージセンサやＣＭＯＳ型イメージセンサ等の撮像素子を搭載した半導体チップ１０と、この半導体チップ１０における撮像素子の受光面を覆うカバーガラス（カバー板）１２をＴＡＢテープ１４によるリード端子を介在させた状態で接着剤１６によって接合したものである。
【０００３】
また、図１１は、図１０に示す固体撮像装置のパッケージ構造を示す断面図である。
図示のように、本例においては、ほぼ同一の面積を有する半導体チップ１０とカバーガラス１２を接着剤１６で接合するものであり、半導体チップ１０とカバーガラス１２の外周部に接着剤１６が介在しており、この接着剤１６に包囲される状態でＴＡＢテープ１４によるリード端子１４Ａが配置され、半導体チップ１０にバンプ等を介して接続されている。
ＴＡＢテープ１４は、例えばポリイミド等の樹脂テープ１４Ｂによって多数のリード端子１４Ａを所定間隔で保持したものである。
【０００４】
このような固体撮像装置を組み立てる場合、例えば予め半導体チップ１０側にＴＡＢテープ１４のリード端子１４Ａを接続するとともに、カバーガラス１２の外周部にＢステージ（半硬化状態）の接着剤１６を塗布する。
なお、リード端子１４Ａや接着剤１６は、ともに撮像素子の受光部を避ける領域に配置されている。
そして、リード端子１４Ａおよび接着剤１６を介して半導体チップ１０とカバーガラス１２とを位置決めして重ね合わせ、一定の圧力で両者を圧接させた状態で加熱することにより、接着剤１６を硬化し、半導体チップ１０とカバーガラス１２とを接合する。
これにより、半導体チップ１０の受光面がカバーガラス１２や接着剤１６によって封止され、塵等の付着から保護されるパッケージ構造を得る。
【０００５】
また、図１２は、固体撮像装置の他のパッケージ構造を示す断面図である。
図示のように、本例においては、半導体チップ２０に対して小さいサイズのカバーガラス２２を用いたものであり、半導体チップ２０の外周部にはバンプ等を介してＴＡＢテープ２４のリード端子２４Ａが接続され、その内側領域に接着剤２６を介してカバーガラス２２が接合されている。なお、接着剤２６は撮像素子の受光部を避ける領域に配置されている。
このような固体撮像装置を組み立てる場合、例えば予め半導体チップ２０側にＴＡＢテープ２４のリード端子２４Ａを接続するとともに、その内側にＢステージの接着剤２６を塗布する。
そして、接着剤２６を介して半導体チップ２０とカバーガラス２２とを位置決めして重ね合わせ、一定の圧力で両者を圧接させた状態で加熱することにより、接着剤２６を硬化し、半導体チップ２０とカバーガラス２２とを接合する。
これにより、半導体チップ２０の受光面がカバーガラス２２や接着剤２６によって封止され、塵等の付着から保護されるパッケージ構造を得る。
【０００６】
【発明が解決しようとする課題】
ところで、上述した各従来例の半導体チップやカバーガラスは、それぞれ外周端面が接着面に対して垂直に形成されている。
一方、上述した接着剤による接着時には、半導体チップとカバーガラスとによって接着剤が押圧され、接着剤の塗布領域が外側に拡がることになる。
このため、最初に塗布された接着剤の配置や量によっては、余剰な接着剤が外側にはみ出すことになり、このはみ出した接着剤が表面張力等の作用によって半導体チップやカバーガラスの外周端面に沿って流れることになる。
ここで、このはみ出した接着剤を積極的に活用し、半導体チップやカバーガラスの外周端面に貯留させれば、半導体チップとカバーガラスとの接着強度を増大できる。
【０００７】
しかしながら、接着剤の塗布領域の制御や塗布量の制御は機械的に煩雑であることから、場合によっては、余剰な接着剤が半導体チップやカバーガラスの外周から大きくはみ出したり、半導体チップの裏面側やカバーガラスの表面側まで回り込んでしまい、製品の外観を毀損したり、あるいは撮像素子の特性に悪影響を及ぼすような可能性も生じる。
特に最近では、撮像装置の小型化が著しいため、接着剤の塗布領域や塗布量を高精度に制御、管理することは、ますます困難になりつつある。
そして、これを実現するためには、プロセス開発においては、接着剤粘度、接着時間等の管理をすることが必要であり、加えて接着剤の選定においては、接着強度の信頼性等にも関わる問題であり、撮像装置の付加価値を高める上での本質的な問題が錯綜している。また、製造面でも、その管理が難しくなることは明らかである。
【０００８】
そこで本発明の目的は、半導体チップとカバー板の間からはみ出した余剰接着剤を半導体チップまたはカバー板の外周部に有効に貯留でき、はみ出しの防止と接着性の向上を図ることができ、また、リード端子を保護することができ、さらに、半導体装置の開発、設計、製造、材料選択等の容易化を図ることが可能な半導体装置およびその製造方法を提供することにある。
【０００９】
【課題を解決するための手段】
本発明は前記目的を達成するため、撮像素子を搭載した半導体チップと、前記半導体チップにおける撮像素子の受光面を覆うカバー板とを接着剤を介して接合した半導体装置において、前記半導体チップとカバー板の少なくともいずれか一方の外周端面に、半導体チップとカバー板の接着面側に向かって、半導体チップまたはカバー板の中央方向にへこんだ接着剤のはみ出し防止用凹部を設け、前記半導体チップの外周部にリード端子を設け、前記接着剤が前記はみ出し防止用凹部に充填され、前記接着剤が前記リード端子の基端部を包囲する状態で半導体チップとカバー板との間に介在していることを特徴とする。
【００１０】
また本発明は、撮像素子を搭載した半導体チップと、前記半導体チップにおける撮像素子の受光面を覆うカバー板とを接着剤を介して接合する半導体装置の製造方法において、前記半導体チップとカバー板の少なくともいずれか一方の外周端面に、半導体チップとカバー板の接着面側に向かって、半導体チップまたはカバー板の中央方向にへこんだ接着剤のはみ出し防止用凹部を設ける加工工程と、前記半導体チップにリード端子を接続する工程と、前記接着剤による半導体チップとカバー板の接着時に、余剰な接着剤を前記はみ出し防止用凹部に貯留させ、前記余剰な接着剤を前記リード端子の基端部を包囲する状態で半導体チップとカバー板との間に介在させる接着工程とを有することを特徴とする。
【００１１】
本発明の半導体装置では、半導体チップとカバー板の少なくともいずれか一方の外周端面に、半導体チップとカバー板の接着面側に向かって、半導体チップまたはカバー板の中央方向にへこんだ接着剤のはみ出し防止用凹部を設けたことから、半導体チップとカバー板との間に接着剤を挟み込んで固定する際に、この接着剤が外側にはみ出した場合でも、この接着剤がはみ出し防止用凹部に貯留され、はみ出し防止用凹部内に保持されることになる。
したがって、このようなはみ出し防止用凹部を設けない場合には半導体チップやカバー板の外側に大きくはみ出していたものが、このはみ出し防止用凹部によって抑制される。
この結果、大きくはみ出した接着剤により、半導体装置の外観が阻害されたり、半導体チップの表面やカバー板の裏側に回り込んで特性上の悪影響が生じるといったこともなくなり、また、はみ出し防止用凹部に貯留された接着剤により、半導体チップとカバー板との接合強度を向上するとともにリード端子を保護することも可能となる。また、接着剤の塗布位置、塗布量、材料選定等に関する開発、設計、制御、管理が容易となる。
【００１２】
また、本発明の製造方法では、半導体チップとカバー板の少なくともいずれか一方の外周端面に、半導体チップとカバー板の接着面側に向かって、半導体チップまたはカバー板の中央方向にへこんだ接着剤のはみ出し防止用凹部を設け、接着剤による半導体チップとカバー板の接着時に、余剰な接着剤を前記はみ出し防止用凹部に貯留させるようにしたことから、はみ出し防止用凹部によって接着剤のはみ出し量を抑制することが可能となる。
この結果製造した半導体装置では、大きくはみ出した接着剤により、半導体装置の外観が阻害されたり、半導体チップの表面やカバー板の裏側に回り込んで特性上の悪影響が生じるといったこともなくなり、また、はみ出し防止用凹部に貯留された接着剤により、半導体チップとカバー板との接合強度を向上するとともにリード端子を保護することも可能となる。
また、接着剤の塗布位置、塗布量、材料選定等に関する開発、設計、制御、管理が容易となり、特に小型化した半導体装置においても製造が容易となり、製造コストの削減を図ることが可能である。
【００１３】
【発明の実施の形態】
以下、本発明による半導体装置およびその製造方法を固体撮像装置に適用した実施の形態例について説明する。
図１は、本発明の第１の実施の形態例による固体撮像装置のパッケージ構造を示す断面図である。
図示のように、本例においては、ほぼ同一の面積を有する矩形板状の半導体チップ１１０とカバーガラス１１２を接着剤１１６で接合するものである。
図１０に示した例と同様に、半導体チップ１１０にはＣＣＤ型イメージセンサやＣＭＯＳ型イメージセンサ等の撮像素子が搭載されており、その受光面（図示せず）が半導体チップ１１０の中央部に設けられている。
【００１４】
そして、カバーガラス１１２は、この半導体チップ１１０における撮像素子の受光面を覆うものであり、半導体チップ１１０とカバーガラス１１２は、外周部に配置した接着剤１１６によりＴＡＢテープ１１４によるリード端子１１４Ａを介して接合され、受光部の上面領域が中空のパッケージを構成している。
なお、ＴＡＢテープ１１４は、例えばポリイミド等の樹脂テープ１１４Ｂによって多数のリード端子１１４Ａを所定間隔で保持したものであり、半導体チップ１１０の外周部に配置された電極にバンプ等を介して接続したものである。
【００１５】
そして、本例においては、半導体チップ１１０とカバーガラス１１２の双方の外周端面に、接着剤１１６のはみ出し防止用凹部１１０Ａ、１１２Ａが設けられている。
半導体チップ１１０のはみ出し防止用凹部１１０Ａは、半導体チップ１１０の接着面側、すなわちカバーガラス１１２側に向かって、半導体チップ１１０の中央方向にへこんだ状態に形成されており、半導体チップ１１０とカバーガラス１１２との間からはみ出した接着剤１１６を貯留するものである。
また、カバーガラス１１２のはみ出し防止用凹部１１２Ａも同様に、カバーガラス１１２の接着面側、すなわち半導体チップ１１０側に向かって、カバーガラス１１２の中央方向にへこんだ状態に形成されており、半導体チップ１１０とカバーガラス１１２との間からはみ出した接着剤１１６を貯留するものである。
【００１６】
図２は、本例における半導体チップ１１０およびカバーガラス１１２のはみ出し防止用凹部１１０Ａ、１１２Ａの形状を示す拡大断面図であり、図３は、半導体チップ１１０のはみ出し防止用凹部１１０Ａを示す概略斜視図である。
図２に示すように、本例では、半導体チップ１１０およびカバーガラス１１２のはみ出し防止用凹部１１０Ａ、１１２Ａは、外周端面を丸みを帯びた階段状に切り欠いた状態に形成されている。
また、本例のはみ出し防止用凹部１１０Ａ、１１２Ａは、図３に示すように、半導体チップ１１０およびカバーガラス１１２の外周端面の全周にわたって環状に形成されている。なお、図３では、半導体チップ１１０側だけを示しているが、カバーガラス１１２側も同様に形成されている。
【００１７】
また、本例において、はみ出し防止用凹部１１０Ａ、１１２Ａは、半導体チップ１１０およびカバーガラス１１２をそれぞれのウェーハより分離する際に形成するハーフカット溝を用いて形成する。
図４は、半導体チップ１１０をウェーハより分離する加工工程を示す断面図である。
ウェーハ１００には、多数の半導体チップ１１０が形成されている。
そして、各半導体チップ１１０を分離する場合には、まず、図４（Ａ）（Ｂ）に示すように、ダイジング装置２００により、分断線に沿ってやや溝幅の広いハーフカット溝１２２を形成する。
この後、図４（Ｃ）に示すように、ダイジング装置２００によってハーフカット溝１０２で残った部分をフルカットすることにより、各半導体チップ１１０を分離する。
ここで通常の工程では、半導体チップ１１０の外周部を加工して板厚方向に垂直な端面を形成するが、本例では、ハーフカット溝１０２の形状を残存させることにより、上述したはみ出し防止用凹部１１０Ａを形成する。
なお、ここでは半導体チップ１１０の分離工程を例に説明したが、カバーガラス１１２のはみ出し防止用凹部１１２Ａについても同様に形成することが可能である。
【００１８】
このような固体撮像装置を組み立てる場合、例えば予め半導体チップ１１０側にＴＡＢテープ１１４のリード端子１１４Ａを接続するとともに、カバーガラス１１２の外周部にＢステージ（半硬化状態）の接着剤１１６を塗布する。
なお、リード端子１１４Ａや接着剤１１６は、ともに撮像素子の受光部を避ける領域に配置されている。
次に、リード端子１１４Ａおよび接着剤１１６を介して半導体チップ１１０とカバーガラス１１２とを位置決めして重ね合わせ、一定の圧力で両者を圧接させた状態で加熱することにより、接着剤１１６を硬化し、半導体チップ１１０とカバーガラス１１２とを接合する。
これにより、半導体チップ１１０の受光面がカバーガラス１１２や接着剤１１６によって封止され、塵等の付着から保護されるパッケージ構造を得る。
【００１９】
そして、このような組み立て工程において、半導体チップ１１０とカバーガラス１１２との間の接着剤１１６は、図５（Ａ）（Ｂ）に示すように、半導体チップ１１０とカバーガラス１１２で押圧されることにより、矢印ａで示すように、徐々に外側に押し出され、半導体チップ１１０およびカバーガラス１１２の外側にはみ出すことになるが、半導体チップ１１０およびカバーガラス１１２の外周端面には、上述したはみ出し防止用凹部１１０Ａ、１１２Ａが形成されているため、はみ出した接着剤１１６は、その粘性や表面張力等の作用により、はみ出し防止用凹部１１０Ａ、１１２Ａの内部に留まることになる。
つまり、はみ出した接着剤１１６の量が、はみ出し防止用凹部１１０Ａ、１１２Ａの容量を越えない範囲では、この接着剤１１６は、はみ出し防止用凹部１１０Ａ、１１２Ａ内に全て貯留され、その外側には、はみ出さないことになる。
この結果、塗布領域の制御や塗布量の制御が困難な接着剤１１６の余剰分を、はみ出し防止用凹部１１０Ａ、１１２Ａによって有効に吸収することが可能となる。
【００２０】
また、図６は、本発明の第２の実施の形態例による固体撮像装置のパッケージ構造を示す断面図である。
図示のように、本例においては、半導体チップ１３０に対して小さいサイズのカバーガラス１３２を用いたものであり、半導体チップ１３０の外周部にはバンプ等を介してＴＡＢテープ１３４のリード端子１３４Ａが接続され、その内側領域に接着剤１３６を介してカバーガラス１３２が接合されている。なお、接着剤１３６は撮像素子の受光部を避ける領域に配置されている。
【００２１】
そして、本例においては、カバーガラス１３２の外周端面に、上述した第１の実施の形態と同様のはみ出し防止用凹部１３２Ａが形成されている。このはみ出し防止用凹部１３２Ａは、カバーガラス１３２の接着面側、すなわち半導体チップ１３０側に向かって、カバーガラス１３２の中央方向に階段状にへこんだ状態に形成されており、半導体チップ１３０とカバーガラス１３２との間からはみ出した接着剤１３６を貯留するものである。
なお、はみ出し防止用凹部１３２Ａの作成方法や接着剤１３６の余剰分を吸収する際の作用等は、上述した第１の実施の形態例と同様であるので説明は省略する。
【００２２】
以上、本発明の実施の形態例として２つの具体例を説明したが、本発明はさらに種々の変形、応用が可能である。
例えば、上述した第１の実施の形態例では、半導体チップ１１０およびカバーガラス１１２の両方にはみ出し防止用凹部１１０Ａ、１１２Ａを設けたが、半導体チップ１１０とカバーガラス１１２のいずれか一方だけにはみ出し防止用凹部を設けてもよい。
また、上述した第１、第２の実施の形態例では、半導体チップ１１０およびカバーガラス１１２、１３２の外周端面の全周にはみ出し防止用凹部１１０Ａ、１１２Ａ、１３２Ａを設けたが、例えばはみ出し防止が特に必要となる箇所に部分的なはみ出し防止用凹部を設けるようにしてもよいし、間欠的に複数のはみ出し防止用凹部を設けてもよい。
図７は、間欠的に複数のはみ出し防止用凹部を設けた半導体チップの一例を示す平面図である。
図示のように、本例のはみ出し防止用凹部１４０Ａは、半導体チップ１４０の外周に沿って所定の間隔で複数設けられており、それぞれのはみ出し防止用凹部１４０Ａが、余剰な接着剤（図７では省略する）を吸収する。
なお、同様のはみ出し防止用凹部をカバーガラス側に設けてもよい。
【００２３】
また、上述した第１、第２の実施の形態例では、階段状に切り欠いた形状のはみ出し防止用凹部１１０Ａ、１１２Ａ、１３２Ａを設けたが、はみ出し防止用凹部の形状としては、これに限定されるものではなく、例えばテーパ面状のはみ出し防止用凹部を設けてもよい。
図８は、外周端面の全周にテーパ面状のはみ出し防止用凹部を設けた半導体チップおよびカバーガラスの一例を示す部分断面図であり、図９は図８に示す半導体チップの斜視図である。
図示のように、本例のはみ出し防止用凹部１５０Ａ、１５２Ａは、半導体チップ１５０およびカバーガラス１５２の外周に沿って環状に形成されており、所定の角度を有する平面状に形成されている。このような形状のはみ出し防止用凹部１５０Ａ、１５２Ａによっても、半導体チップ１５０とカバーガラス１５２の間の接着剤１５６を吸収できる。なお、ＴＡＢテープ１５４等は、上述した例と同様である。
なお、以上のようなはみ出し防止用凹部の具体的形状としては、上述した例に限定されるものではなく、接着剤のはみ出し状況等に応じて適宜最適化し得るものである。たとえば、半導体チップとカバーガラスとで異なる形態のはみ出し防止用凹部を設けたものであってもよい。
【００２４】
また、上述した実施の形態では、接着剤を固体撮像素子の受光面を避けるようにして、半導体チップとカバーガラスの外周部に設けた例について説明したが、透明な接着剤を半導体チップとカバーガラスの間に充填するような構成の固体撮像装置についても、上述した例と同様のはみ出し防止用凹部を設けることが可能である。
また、図１や図８に示す例において、半導体チップとカバーガラスの大きさ（面積）が同一の例を示したが、大きさが異なる半導体チップとカバーガラスを接合するようなものについても同様に適用し得るものである。すなわち、本発明は半導体チップとカバー板の大小関係については何ら限定しないものである。
また、上述した実施の形態では、本発明の半導体装置を固体撮像装置に適用した場合について説明したが、本発明はこれに限らず、固体撮像装置以外の半導体装置に適用することも可能である。
【００２５】
以上のような、本発明の実施の形態では、以下のような効果を得ることが可能である。
まず、接着剤の塗布量、塗布位置の厳密な管理をすることなく、パッケージの外側に接着剤がはみ出すことを防止できる。これにより、パッケージの小型化を推進できる。
また、例えば接着剤のはみ出し量やはみ出し状態などは、材料の粘度などの特性や接着のための加圧時間などにも影響される条件であるため、これを厳格に制御する必要性を小さくできることは、材料の選定が容易となり、プロセス開発を簡素かつ容易にすることができる。特に、接着強度という本質的な観点を優先的して材料選定を行うことができるという利点があり、また、製造設備の面でも同様に、構造や制御の簡素化や低コスト化を図ることが可能である。
【００２６】
また、はみ出し防止用凹部を設けることにより、接着面積が大きくなることから、接着強度を向上でき、パッケージの信頼性の向上することが可能となる。また、このような接着強度の向上により、上述した材料選定についてもさらに容易になる。
また、はみ出し防止用凹部を設けることにより、特に半導体チップ側のエッジ部の角度が緩和され、この部分に接着剤が貯留されることになるので、このエッジ部によるリード端子の損傷やショートを防止することが可能となる。
すなわち、上述のような半導体装置を配線基板等に実装する場合には、ボンディング装置によってリード端子の折り曲げと挿入等を連続作業で自動的に行うことがあるが、この折り曲げの際に、リード端子が半導体チップのエッジ部で損傷し、ショートする場合があった。
しかし、本実施の形態によるはみ出し防止用凹部を設け、ここに接着剤を貯留する構成により、リード端子を保護する構造を得ることができ、実装の信頼性を向上でき、歩留の向上を図ることが可能となる。
さらに、上述のようなはみ出し防止用凹部を設ける場合に、その形状や角度を工夫することにより、特に上述したカバーガラスの外周端面から入射する光が撮像素子の受光面に入射しないような構成とすることも可能であり、撮像素子への不正入射防止機能をもたせることが可能である。
【００２７】
【発明の効果】
以上説明したように本発明の半導体装置によれば、半導体チップとカバー板の少なくともいずれか一方の外周端面に、半導体チップとカバー板の接着面側に向かって半導体チップまたはカバー板の中央方向にへこんだ接着剤のはみ出し防止用凹部を設けたことから、接着剤のはみ出し量を適正に抑制でき、大きくはみ出した接着剤による美観の低下や特性状の悪影響を防止でき、また、この凹部に接着剤を貯留する構成により、リード端子を保護することができ、さらに、接着剤の制御、管理、材料選定を容易化でき、かつ、接合強度を向上できる効果がある。
【００２８】
また、本発明の製造方法によれば、半導体チップとカバー板の少なくともいずれか一方の外周端面に、半導体チップとカバー板の接着面側に向かって半導体チップまたはカバー板の中央方向にへこんだ接着剤のはみ出し防止用凹部を設け、接着剤による半導体チップとカバー板の接着時に、余剰な接着剤を前記はみ出し防止用凹部に貯留させるようにしたことから、接着剤のはみ出し量を適正に抑制でき、大きくはみ出した接着剤による美観の低下や特性状の悪影響を防止でき、また、リード端子を保護することができ、さらに、接着剤の制御、管理、材料選定を容易化でき、かつ、接合強度を向上できる効果がある。
【図面の簡単な説明】
【図１】  本発明の第１の実施の形態例による固体撮像装置のパッケージ構造を示す概略断面図である。
【図２】  図１に示す固体撮像装置における半導体チップおよびカバーガラスのはみ出し防止用凹部の形状を示す拡大部分断面図である。
【図３】  図１に示す固体撮像装置における半導体チップのはみ出し防止用凹部を示す概略斜視図である。
【図４】  図１に示す固体撮像装置における半導体チップをウェーハより分離する加工工程を示す拡大部分断面図である。
【図５】  図１に示す固体撮像装置の製造時に半導体チップとカバーガラスとの間の接着剤がはみ出す様子を示す拡大部分断面図である。
【図６】  本発明の第２の実施の形態例による固体撮像装置のパッケージ構造を示す概略断面図である。
【図７】  図１に示す固体撮像装置におけるはみ出し防止用凹部の変形例を示す半導体チップの概略平面図である。
【図８】  図１に示す固体撮像装置におけるはみ出し防止用凹部の他の変形例を示す半導体チップとカバーガラスの部分断面図である。
【図９】  図８に示す半導体チップのはみ出し防止用凹部を示す概略斜視図である。
【図１０】  従来の固体撮像装置の一例を示す概略斜視図である。
【図１１】  図１０に示す固体撮像装置のパッケージ構造を示す断面図である。
【図１２】  従来の固体撮像装置の他のパッケージ構造を示す断面図である。
【符号の説明】
１１０……半導体チップ、１１０Ａ、１１２Ａ……はみ出し防止用凹部、１１２……カバーガラス、１１４……ＴＡＢテープ、１１４Ａ……リード端子、１１４Ｂ……樹脂テープ、１１６……接着剤。
【図１】
0004239466.tif 000002
【図２】
0004239466.tif 000003
【図３】
0004239466.tif 000004
【図４】
0004239466.tif 000005
【図５】
0004239466.tif 000006
【図６】
0004239466.tif 000007
【図７】
0004239466.tif 000008
【図８】
0004239466.tif 000009
【図９】
0004239466.tif 000010
【図１０】
0004239466.tif 000011
【図１１】
0004239466.tif 000012
【図１２】
0004239466.tif 000013